(57)【特許請求の範囲】
【請求項１】
構造体に設けられた長尺体挿通用貫通孔の孔口周囲空間で、前記貫通孔に挿通された長尺体の外周部に設置される充填材を支持自在な充填材支持具であって、
前記貫通孔の孔口周囲で前記充填材を受け止め自在な環状のベース部材と、前記ベース部材及び前記充填材を覆う環状の蓋部材とを設け、
前記ベース部材を前記構造体へ取付自在な第一取付部を前記ベース部材に設けるとともに、前記蓋部材を前記ベース部材に取付自在な第二取付部を設け、
前記ベース部材と前記長尺体との隙間で前記充填材を支持する周方向一個所が切断された支持板部材を設け、その支持板部材の周方向複数箇所には、ベース部材の内縁部に接当する突出部を形成するとともに、前記長尺体に接当する状態で支持板部材と長尺体との隙間で充填材を支持する第二支持板部材を支持板部材に対し着脱自在に構成し、
前記支持板部材の外縁部には、前記ベース部材の充填材受止面との接当により支持板部材の貫通孔側への移動を規制する接当面部が備えられているとともに、
前記第二支持板部材の外縁部には、前記支持板部材の充填材受止面との接当により第二支持板部材の貫通孔側への移動を規制する接当面部が備えられ、その接当面部と支持板部材の充填材受止面との接当により、充填材受止面の面方向での第二支持板部材に対する支持板部材の移動が可能な重合姿勢で、第二支持板部材が支持板部材に対して装着される構成にしてある長尺体支持具。
【請求項２】
前記突出部は、支持板部材とベース部材との接当状態においてベース部材を超えて貫通孔内に入り込み可能な突出長さで形成されている請求項１記載の長尺体支持具。
【請求項３】
前記支持板部材は、これの内径が設定内径にあるとき、周方向端面間に小巾の隙間が形成される形態に構成されているとともに、支持板部材の周方向中間部には、小巾の括れ部が形成されている請求項１又は２記載の長尺体支持具。
【発明の詳細な説明】
【０００１】
【発明の属する技術分野】
本発明は、構造体（例えば、床や天井や壁）に設けられた長尺体挿通用貫通孔の孔口周囲空間で、前記貫通孔に挿通された長尺体（例えば、配管やケーブル）の外周部に設置される充填材を支持自在な充填材支持具に関する。
【０００２】
【従来の技術】
従来、この種の充填材支持具としては、図４・５に示すように、前記貫通孔２の孔口周囲で前記充填材Ｊを覆う環状の蓋部材（環周方向に２分割）Ｃを設け、前記蓋部材Ｃを前記構造体１へ取付自在な取付部（ビス取付用突片）４０を、前記蓋部材Ｃの外方に露出する状態に設け、前記充填材Ｊの位置決め用突片４１を、蓋部材Ｃの内方側に取り付けてあるものがあり、シート状に形成された充填材（例えば、熱膨張性材で構成）Ｊを、貫通孔２に挿通された長尺体Ｐの孔口部分の外周部に巻き付けておき、前記蓋部材Ｃをその外方に配置して、前記取付部４０を構造体１にビス止めする使用法をとるものであった。
【０００３】
【発明が解決しようとする課題】
上述した従来の充填材支持具によれば、貫通孔の孔口全周において充填材が貫通孔に沿って移動するのを受け止めることができ難く、例えば、前記充填材として熱膨張性充填材を使用する防火区画貫通部での使用にあたっては、火災等による熱の作用で前記充填材が熱膨張する際に、その位置が拘束され難いので、余計な部分に充填材が逸脱し、貫通部の閉塞効果が期待し難くなる問題点がある。
更には、蓋部材の外方に取付部が露出し、美観性を損ねやすい問題点もある。
【０００４】
従って、本発明の目的は、上記問題点を解消し、充填材の拘束性能が高く、美観性に優れた充填材支持具を提供するところにある。
【０００５】
【課題を解決するための手段】
〔構成〕
請求項１の発明の特徴構成は、構造体に設けられた長尺体挿通用貫通孔の孔口周囲空間で、前記貫通孔に挿通された長尺体の外周部に設置される充填材を支持自在な充填材支持具であって、前記貫通孔の孔口周囲で前記充填材を受け止め自在な環状のベース部材と、前記ベース部材及び前記充填材を覆う環状の蓋部材とを設け、前記ベース部材を前記構造体へ取付自在な第一取付部を前記ベース部材に設けるとともに、前記蓋部材を前記ベース部材に取付自在な第二取付部を設け、前記ベース部材と前記長尺体との隙間で前記充填材を支持する周方向一個所が切断された支持板部材を設け、その支持板部材の周方向複数箇所には、ベース部材の内縁部に接当する突出部を形成するとともに、
前記長尺体に接当する状態で支持板部材と長尺体との隙間で充填材を支持する第二支持板部材を支持板部材に対し着脱自在に構成し、
前記支持板部材の外縁部には、前記ベース部材の充填材受止面との接当により支持板部材の貫通孔側への移動を規制する接当面部が備えられているとともに、
前記第二支持板部材の外縁部には、前記支持板部材の充填材受止面との接当により第二支持板部材の貫通孔側への移動を規制する接当面部が備えられ、その接当面部と支持板部材の充填材受止面との接当により、充填材受止面の面方向での第二支持板部材に対する支持板部材の移動が可能な重合姿勢で、第二支持板部材が支持板部材に対して装着される構成にしてあるところにある。
【０００６】
請求項２の発明の特徴構成は、前記突出部は、支持板部材とベース部材との接当状態においてベース部材を超えて貫通孔内に入り込み可能な突出長さで形成されているところにある。
【０００７】
請求項３の発明の特徴構成は、前記支持板部材は、これの内径が設定内径にあるとき、周方向端面間に小巾の隙間が形成される形態に構成されているとともに、支持板部材の周方向中間部には、小巾の括れ部が形成されているところにある。
【０００９】
〔作用及び効果〕
請求項１の発明の特徴構成によれば、前記貫通孔の孔口周囲で前記充填材を受け止め自在な環状のベース部材と、前記ベース部材及び前記充填材を覆う環状の蓋部材とを設け、前記ベース部材を前記構造体へ取付自在な第一取付部を前記ベース部材に設けるとともに、前記蓋部材を前記ベース部材に取付自在な第二取付部を設け、前記ベース部材と前記長尺体との隙間で前記充填材を支持する周方向一個所が切断された支持板部材を設け、その支持板部材の周方向複数箇所には、ベース部材の内縁部に接当する突出部を形成するとともに、前記長尺体に接当する状態で支持板部材と長尺体との隙間で充填材を支持する第二支持板部材を支持板部材に対し着脱自在に構成してあるから、前記環状のベース部材によって、充填空間に充填された充填材を全周にわたって受け止めることが可能となり、例えば、熱膨張性の充填材を使用する場合であっても、充填材を貫通孔の孔口全周において受け止めて、余計な箇所に充填材が逸脱するのを防止し易くなり、貫通孔のパック効果をより向上させることがかのとなる。従って、防火区画貫通部に用いる場合には、閉塞状態を良好に維持することが可能となる。
また、充填材として、モルタルやパテ等を使用する場合には、充填材の充填作業時に、充填材を安定的に受け止めることが可能であるから、予定した範囲に確実に充填材を位置させることができ、材料の食い込み量を減少させることが可能となり、良好な経済性を確保することが可能となる。
そして、前記第一取付部は、前記蓋部材によって覆われるから、第一取付部が外部に露出するのを防止し、美観性を向上させることが可能となる。
また、前記支持板部材の外縁部には、前記ベース部材の充填材受止面との接当により支持板部材の貫通孔側への移動を規制する接当面部が備えられているから、貫通孔への取り付けを確実に実施することができ、しかも、貫通孔の密閉効果も高い。
そしてまた、この突出部により当該支持板部材を配置する際に、ベース部材の内縁部に接当して相対位置決め、及び、位置ずれ防止を行うことができ、さらに、第二支持板部材を着脱することにより挿通させる長尺体の寸法適用性を向上させることが可能となる。
【００１０】
請求項２記載の発明によれば、前記突出部が支持板部材とベース部材との接当状態においてベース部材を超えて貫通孔内に入り込み可能な突出長さで形成されているから、貫通孔への取り付けを確実に実施することができ、しかも、貫通孔の密閉効果も高い。
【００１１】
請求項３記載の発明によれば、前記支持板部材は、前記長尺体が設定内径にあるとき、周方向端面間に小巾の隙間が形成される形態に構成されているとともに、前記支持板部材の周方向中間部には、小巾の括れ部が形成されているから、この括れ部分を揺動支点として、周方向端面どうしが遠近する方向に揺動させることができる。そして、揺動端面どうしを合わせて環状にした状態で、前記周囲空間を塞ぐことができる。
【００１２】
【発明の実施の形態】
以下に本発明の実施の形態を図面に基づいて説明する。尚、図面において従来例と同一の符号で表示した部分は、同一又は相当の部分を示している。
【００１３】
図２は、スラブ１（構造体の一例）に設けられた配管挿通用の貫通孔２に、空調配管Ｐ（長尺体の一例）を挿通させて、貫通孔２の孔口周部２ａと、空調配管Ｐとの隙間に充填材Ｊを充填して、防火区画貫通部を構成してある状況を示すもので、前記充填材Ｊは、本発明の「貫通孔の充填材支持具」の一例である充填材支持具Ｓによって、前記貫通孔２内に支持されている。
【００１４】
前記空調配管Ｐは、銅管からなる配管本体３ａを発泡樹脂製断熱部材３ｂで被覆して形成してある冷媒管３と、ケーブル４とから構成してある。
【００１５】
また、前記充填材Ｊは、例えば、前記スラブ１で仕切られた上下空間の一方で火災が発生した場合に、前記貫通孔２を通して上下空間の他方側へ類焼するのを防止できる防火区画貫通部を構成するために、熱膨張性を有するパテＪ１で構成してある。前記パテＪ１によれば、火災による熱によってパテＪ１そのものが膨張し、仮に、空調配管Ｐが燃焼したり収縮しても、その周囲に広がって隙間を埋めつくし、煙や炎が貫通孔２を通過しにくいようにすることが可能である。
【００１６】
前記充填材支持具Ｓは、貫通孔２に挿通された空調配管Ｐの貫通孔口部分の周囲空間Ｖで、パテＪ１を支持自在に形成してあり、詳しい構成は、図１に示すように、前記貫通孔２の孔口周囲で前記パテＪ１を受け止め自在な環状のベース部材６を設け、前記ベース部材６及び前記パテＪ１を覆う環状の蓋部材Ｃを設け、前記貫通孔２におけるベース部材６と空調配管Ｐとの隙間に位置してパテＪ１を支持する周方向一個所が切断された支持板部材５を設けて構成してある。
【００１７】
前記ベース部材６は、環状の板金部材によって形成してあり、環周方向に二分割に構成してある。そして、板金部材からなる両分割ベース部材６ａは、一端部どうしを重ねた状態で鳩目からなるヒンジ部８を介して揺動自在に連結してある。また、両分割ベース部材６ａの他端部には、両分割ベース部材６ａが重なった状態で厚み方向に貫通する固定用穴９ａを各別に設けてあり、両分割ベース部材６ａを環状姿勢に整えて貫通孔２の開口周囲に係止させた状態で、前記鳩目の穴９ｂと固定用穴９ａとに釘やビスを挿通させてスラブ１に固定することができる。
前記両穴９ａ・９ｂが、第一取付部９に相当する。
また、前記ヒンジ部８、及び、固定用穴９ａを形成してある合わせ端部、及び、両分割ベース部材６ａの中間部分には、それぞれ、他のベース部材部分より、スラブ１側へ膨出させた形状の膨出部（隙間確保部に相当）３１を設けてあり、スラブ１上にベース部材６を載置した状態で、前記膨出部３１以外の部分とスラブ１面との間に蓋部材Ｃに形成した係止爪部１３（後述）が係入自在な隙間１４が形成されるように構成してある。
そして、ベース部材６の外周縁部は、スラブから離れる傾斜形状に形成してあり、この部分が、前記蓋部材Ｃを係止自在な被係止部１０（後述）となる。
【００１８】
前記蓋部材Ｃは、図に示すように、環状に形成してあり、前記ベース部材６に係合させた状態で、スラブ１と、貫通孔２に挿通させた空調配管Ｐの束との隙間を塞ぐことができるように寸法設定して形成してある。また、環周方向に二分割に形成してあり、夫々の分割蓋部材１１には、分割蓋部材１１どうしを合体させた状態で連結固定自在な蓋連結部１２を設けてある。前記蓋連結部１２は、一方の分割蓋部材１１から他方の分割蓋部材１１裏面側に延出する裏当て板部１２ａと、前記裏当て板部１２ａに形成した雌ネジ部１２ｂと、前記両分割蓋部材１１を合体させた状態での前記裏当て板部１２ａに重なる他方の分割蓋部材部分に形成されたネジ穴部１２ｃとによって構成してあり、前記ネジ穴部１２ｃを通して雌ネジ部１２ｂにボルトを螺合させることによって、両分割蓋部材１１どうしを連結固定することができる。
一方、蓋本体の外周縁部には、径方向に沿って内方側に突出させて係止爪部１３を設けてあり、この係止爪部１３を、前記ベース部材６の被係止部１０に係止させることによって蓋部材Ｃをベース部材６に取り付けることができる。
【００１９】
前記ベース部材６の被係止部１０と蓋部材Ｃの係止爪部１３との係止について、さらに詳しく説明する。
前記被係止部１０は、前述のように、ベース部材６の外周縁部に形成してあって（図２参照）、前記係止爪部１３を、前記蓋部材Ｃの離脱方向側で受け止める係止面部１０ａによって構成してある。この係止面部１０ａは、ベース部材６の裏面部分にあり、前記係止爪部１３がベース部材６の裏面側に位置するようにして両分割蓋部材１１を合体させることにより、貫通孔の軸芯方向に沿った離脱方向への力が蓋部材Ｃに作用しても、係止爪部１３が係止面部１０ａに押し当たることで移動を阻止され、離脱防止を図ることができる。因に、前記ベース部材６は、前記膨出部３１の膨出寸法だけ、スラブ面より浮いた状態に位置するので、この隙間１４に前記係止爪部１３が径方向に沿って進入することが可能となる。従って、実質的には、膨出部３１の存在によって被係止部１０が構成される。
また、前記隙間１４への係止爪部１３の進入をスムースに行えるように、前記ベース部材６の外周縁部を上側に傾斜させて形成し、この傾斜部の下面部分が係止誘導部となるように構成してある。この係止誘導部を設けることによって、前記隙間１４の開口寸法が広くなって、前記係止爪部１３を係入させ易くなると共に、係入操作を深めるに伴って係止爪部１３は前記係止誘導部に誘導されて前記隙間１４に進入することができ、蓋部材Ｃをベース部材６に確実に取り付けることができる。
前記係止爪部１３と被係止部１０とによって、前記蓋部材Ｃと前記ベース部材６とを取付自在な第二取付部３０が構成される。
【００２０】
前記支持板部材５は、板金をＣ型リング形状に打ち抜いて、これの内径が設定内径にあるとき、周方向端面間に小巾の隙間が形成される形態に構成してあり、Ｃ型リングの周方向中間部に、小巾寸法の括れ部分５ａを形成してあるから、この括れ部分５ａを揺動支点として、端部（詳しくは、周方向端面）どうしが遠近する方向に揺動させることができる。
そして、揺動端部（詳しくは、揺動端面）どうしを合わせて環状にした状態で、前記周囲空間Ｖを塞ぐことができるように寸法設定してある。
また、支持板部材５の外縁部におけるベース部材６に対向する面は、ベース部材６の充填材受止面（すなわち、充填材Ｊを受け止める側の面、要するに、貫通孔２側とは反対側の面）との接当により支持板部材５の貫通孔２側への移動を規制する接当面部として構成されている。
そして、支持板部材５の下面部の周方向複数箇所には、支持板部材５とベース部材６との接当状態においてベース部材６を超えて貫通孔２内に入り込み可能な突出長さの突出部５ｂが夫々形成してあり、この突出部５ｂの位置は、前記ベース部材６上に当該支持板部材５を配置する際に、ベース部材６の内縁部分に接当して相対位置決め、及び、位置ずれ防止できるように、前記ベース部材６内縁部分に対応した位置に設定してある。
また、前記括れ部分５ａによって支持板部材５を切断して、分割した支持板部材５として使用することも可能である。
【００２１】
本実施例の充填材支持具Ｓを用いた防火区画貫通部の形成方法は、貫通孔２にベース部材６を設置（ヒンジ部８の穴９ｂ及び固定用穴９ａに釘やビスを挿通させて、スラブ１にベース部材６を固定）し、空調配管Ｐを挿通させ（空調配管Ｐを先に挿通させておくことも可能）、ベース部材６上に支持板部材５を載置し、その上の前記周囲空間Ｖへ上からパテＪ１を充填する。そして、両分割蓋部材１１を取り付ける前に、それぞれの分割蓋部材内側空間に各別に所定量のパテＪ１を充填付着させ、その状態で空調配管Ｐ及びベース部材６を挟むように両分割蓋部材１１どうしを設置連結することによって、被係止部１０に蓋部材Ｃが係止して、前記周囲空間Ｖを確実に密閉することができる。
【００２２】
前記充填材支持具Ｓによれば、貫通孔２への取り付けが簡単且つ確実に実施することができ、貫通孔２の密閉効果も高く、しかも、設置した空調配管Ｐに作用する押込力に対して安定的に対抗することが可能となる。そして、火災時のパテＪ１の膨張によって、空調配管Ｐ外周部に隙間ができるのを防止することが可能となる。
【００２３】
〔別実施形態〕
以下に別実施例を説明する。
【００２４】
〈１〉  前記支持板部材５は、如何なる場合においても使用するものではなく、例えば、ベース部材６のみによって充填材Ｊを支持できる場合には、使用しない場合もある。
また、図３に示すように、上述の支持板部材５に対して着脱自在な第二の支持板部材１５を設けるものであってもよい。この第二の支持板部材１５は、前記ベース部材に支持板部材５が係止されるのと同様に、前記支持板部材５に係止できるよう一回り小さな形状に形成してあり、そして、空調配管Ｐに接当する状態で支持板部材５と空調配管Ｐとの隙間で充填材Ｊを支持する構成にしてある。詳しくは、第二支持板部材１５の外縁部には、支持板部材５の充填材受止面（すなわち、充填材Ｊを受け止める側の面、要するに、貫通孔２側とは反対側の面）との接当により第二支持板部材１５の貫通孔２側への移動を規制する接当面部が備えられており、その接当面部と支持板部材５の充填材受止面との接当により、充填材受止面の面方向での第二支持板部材１５に対する支持板部材５の移動が可能な重合姿勢で、第二支持板部材１５が支持板部材５に対して装着される構成にしてある。従って、挿通させる空調配管Ｐの外径寸法や形状に合わせた挿通孔を形成した支持板部材を使い分けることが可能となり、挿通させる長尺体の寸法適応性を向上させることが可能となる。
〈２〉  前記ベース部材や蓋部材は、径方向に二分割に形成してあるものに限らず、例えば、三分割以上の複数分割構成であってもよい。
〈３〉  前記充填材Ｊは、先の実施例で説明したパテＪ１に限定されるものではなく、例えば、パテＪ１をシート状に形成した熱膨張性のシートパテを併用してもよく、シートパテによれば、パテＪ１を充填空間の奥に詰める手間を省くことが可能となる。また、防火区画貫通部以外に設置する場合には、充填材が熱膨張性を必ずしも備える必要はなく、例えば、モルタルを充填材とすることも可能である。
〈４〉  また、前記構造体は、先の実施例で説明したスラブに限るものではなく、例えば、壁体・天井・梁・柱等であってもよく、これらを総称して構造体という。
〈５〉  前記長尺体は、先の実施例で説明した空調配管Ｐに限定されるものではなく、例えば、ケーブルや鋼管や樹脂管等であってもよく、それらを総称して長尺体という。
〈６〉  本発明の貫通孔の充填材支持具は、先の実施例で説明したように、貫通孔２の一方側の開口部に設置する他、他方側の開口部に設置したり、両方側の開口部に設置することも可能である。
【図面の簡単な説明】
【図１】充填材支持具を示す分解斜視図
【図２】充填材支持具の取付状況を示す断面図
【図３】別実施形態の充填材支持具の取付状況を示す断面図
【図４】従来の充填材支持具を示す分解斜視図
【図５】従来の充填材支持具の取付状況を示す断面図
【符号の説明】
１      構造体
２      貫通孔
６      ベース部材
９      第一取付部
１３    係止爪部
３０    第二取付部
３１    隙間確保部
Ｃ      蓋部材
Ｊ      充填材
Ｐ      長尺体
Ｖ      周囲空間
【図１】
0003919318.tif 000002
【図２】
0003919318.tif 000003
【図３】
0003919318.tif 000004
【図４】
0003919318.tif 000005
【図５】
0003919318.tif 000006